(57)【特許請求の範囲】
【請求項１】
インスツルメントよりも高い位置でインスツルメントホースを支持するロッド部と、
前記ロッド部の先端部に支持された滑車支持部と、
前記滑車支持部に支持されて前記インスツルメントホースが引っ掛けられる滑車と、が備えられ、
前記先端部と交差し、かつ、前記ロッド部と対峙する仮想線を可動軸とし、この可動軸上に形成された軸突起部と、
前記可動軸上に形成されると共に前記軸突起部が挿入された溝部と、を有し、
前記軸突起部または前記溝部にテーパーが形成され、
前記滑車支持部が、自在に回転し、かつ、自在に揺動する、
ことを特徴とするインスツルメントホース支持装置。
【請求項２】
インスツルメントよりも高い位置でインスツルメントホースを支持するロッド部と、
前記ロッド部の先端部に支持された滑車支持部と、
前記滑車支持部に支持されて前記インスツルメントホースが引っ掛けられる滑車と、が備えられ、
前記先端部と交差し、かつ、前記ロッド部と対峙する仮想線を可動軸として、前記滑車支持部が、自在に回転し、かつ、自在に揺動し、
基部側を軸として倒れ、または、起きることができる前記ロッド部が、起きた状態で、
前記先端部よりも低い位置で前記ロッド部と前記滑車支持部とが接触する、
ことを特徴とするインスツルメントホース支持装置。
【請求項３】
インスツルメントよりも高い位置でインスツルメントホースを支持するロッド部と、
前記ロッド部の先端部に支持された滑車支持部と、
前記滑車支持部に支持されて前記インスツルメントホースが引っ掛けられる滑車と、が備えられ、
前記先端部と交差し、かつ、前記ロッド部と対峙する仮想線を可動軸として、前記滑車支持部が、自在に回転し、かつ、自在に揺動し、
前記滑車支持部が、第一部材と第二部材とから構成され、
前記第一部材が、
前記先端部に支持された第一支持部と、
この第一支持部から前記滑車に向けて伸びた第一アーム部と、
この第一アーム部に形成されて前記滑車の軸に通される第一支持軸部と、から構成され、
前記第二部材が、
前記第一部材に対して前記ロッド部と反対側から前記第一支持部に嵌合する第二支持部と、
この第二支持部から前記滑車に向けて伸びた第二アーム部と、
この第二アーム部に形成されて前記滑車の軸に通されると共に前記第一支持軸部と嵌合する第二支持軸部と、から構成された、
ことを特徴とするインスツルメントホース支持装置。
【請求項４】
前記可動軸上に形成された軸突起部、または、前記可動軸上に形成されると共に前記軸突起部が挿入された溝部の片方が、前記第一支持部に形成され、
前記軸突起部または前記溝部のもう片方が、前記先端部に形成され、
前記軸突起部または前記溝部にテーパーが形成された、
ことを特徴とする請求項３に記載されたインスツルメントホース支持装置。
【請求項５】
前記ロッド部または前記滑車支持部の片方と接触する接触突起部が、前記ロッド部または前記滑車支持部のもう片方に形成された、
ことを特徴とする請求項１から請求項４のいずれか１項に記載されたインスツルメントホース支持装置。
【請求項６】
請求項１から請求項５のいずれか１項に記載されたインスツルメントホース支持装置を有する、
ことを特徴とする歯科診療装置。
【発明の詳細な説明】
【技術分野】
【０００１】
本開示は、歯科医院などに備えられたインスツルメントのホースを支持するインスツルメントホース支持装置、および、インスツルメントホース支持装置を有する歯科診療装置に関するものである。
【背景技術】
【０００２】
従来、歯科医院に設置された診療装置は、インスツルメントが保持される保持装置が備えられている。例えば、下記特許文献１に記載された保持装置は、インスツルメントが保持されるインスツルメントホルダと、インスツルメントに接続されたホースを支持するスイングアームとを有している。このスイングアームは、上方に向けて長く形成され、基部を軸として倒れ、または、起きることができる。スイングアームの先端は、ベース部が、止具を介して取り付けられ、このベース部に、滑車本体が支持されている。ベース部は、止具を軸として、スイングアームに対して回転することができる。ホースは、滑車本体に引っ掛けられている。【０００３】
歯科医師や歯科衛生士など（以下、「歯科医師等」と記す。）が、インスツルメントを持って引っ張ると、ホースが引っ張られ、同時に、スイングアームが倒れる。その際、ホースが引っ張られた方向に追随して、ベース部が、スイングアームに対して回転する。
【先行技術文献】
【特許文献】
【０００４】
【特許文献１】特開２０１５−１６７６７４号公報
【発明の概要】
【発明が解決しようとする課題】
【０００５】
しかし、上記したとおり、従来の技術では、ベース部が、止具を介して取り付けられ、ベース部が回転する方向は、右回転または左回転のいずれかであるため、ベース部の可動範囲が限られる。ホースが引っ張られる方向は、様々であるため、ホースが引っ張られる方向が、ベース部の可動範囲から外れた場合、ホースがスムーズに引っ張られず、インスツルメントの操作が妨げられる。【０００６】
本開示は、上記の実情に鑑みて提案されたものである。すなわち、インスツルメントホースが引っ張られる方向に追随して、インスツルメントホースを、様々な方向に、かつ、スムーズに引っ張ることができるインスツルメントホース支持装置、および、インスツルメントホース支持装置を有する歯科診療装置の提供を目的とする。
【課題を解決するための手段】
【０００７】
上記目的を達成するために、本開示に係るインスツルメントホース支持装置は、インスツルメントよりも高い位置でインスツルメントホースを支持するロッド部と、前記ロッド部の先端部に支持された滑車支持部と、前記滑車支持部に支持されて前記インスツルメントホースが引っ掛けられる滑車と、が備えられ、前記先端部と交差し、かつ、前記ロッド部と対峙する仮想線を可動軸として、前記滑車支持部が、自在に回転し、かつ、自在に揺動する、ことを特徴とする。【０００８】
本開示に係るインスツルメントホース支持装置は、前記可動軸上に形成された軸突起部と、前記可動軸上に形成されると共に前記軸突起部が挿入された溝部と、を有し、前記軸突起部または前記溝部にテーパーが形成された、ことを特徴とする。【０００９】
本開示に係るインスツルメントホース支持装置は、基部側を軸として倒れ、または、起きることができる前記ロッド部が、起きた状態で、前記先端部よりも低い位置で前記ロッド部と前記滑車支持部とが接触する、ことを特徴とする。【００１０】
本開示に係るインスツルメントホース支持装置は、前記ロッド部または前記滑車支持部の片方と接触する接触突起部が、前記ロッド部または前記滑車支持部のもう片方に形成された、ことを特徴とする。【００１１】
本開示に係るインスツルメントホース支持装置は、前記滑車支持部が、第一部材と第二部材とから構成され、前記第一部材が、前記先端部に支持された第一支持部と、この第一支持部から前記滑車に向けて伸びた第一アーム部と、この第一アーム部に形成されて前記滑車の軸に通される第一支持軸部と、から構成され、前記第二部材が、前記第一部材に対して前記ロッド部と反対側から前記第一支持部に嵌合する第二支持部と、この第二支持部から前記滑車に向けて伸びた第二アーム部と、この第二アーム部に形成されて前記滑車の軸に通されると共に前記第一支持軸部と嵌合する第二支持軸部と、から構成された、ことを特徴とする。【００１２】
本開示に係るインスツルメントホース支持装置は、前記軸突起部または前記溝部の片方が、前記第一支持部に形成され、前記軸突起部または前記溝部のもう片方が、前記先端部に形成された、ことを特徴とする。【００１３】
本開示に係る歯科診療装置は、インスツルメントホース支持装置を有する、ことを特徴とする。
【発明の効果】
【００１４】
本開示に係るインスツルメントホース支持装置は、インスツルメントよりも高い位置でインスツルメントホースを支持するロッド部と、このロッド部の先端部に支持された滑車支持部と、この滑車支持部に支持されてインスツルメントホースが引っ掛けられる滑車と、が備えられ、先端部と交差し、かつ、ロッド部と対峙する仮想線を可動軸として、滑車支持部が、自在に回転し、かつ、自在に揺動する。そのため、インスツルメントホースを、様々な方向に、かつ、スムーズに引っ張ることができるインスツルメントホース支持装置が実現する。
【図面の簡単な説明】
【００１５】
【図１】図１は、本開示の第一実施形態に係る歯科診療装置が示された斜視図である。
【図２】図２は、本開示の第一実施形態に係るインスツルメントホース支持装置が分解されて示された分解斜視図である。
【図３】図３は、本開示の第一実施形態に係るインスツルメントホース支持装置が組み立てられる途中の状態が示された組立て途中斜視図である。
【図４】図４は、本開示の第一実施形態に係るインスツルメントホース支持装置の使用状態が示され、Ａは、上方から視した平面図、Ｂは、側方から視した側面図、Ｃは、Ａにおけるａ−ａ断面側面図、Ｄは、Ｃにおけるｂ部分拡大図、Ｅは、Ｃにおけるｃ部分拡大図である。
【図５】図５は、本開示の第一実施形態に係るインスツルメントホース支持装置の使用状態が示され、Ａは、斜視図、Ｂは、前方から視した正面図である。
【図６】図６は、本開示の第一実施形態に係るインスツルメントホース支持装置の使用状態が示され、Ａは、平面図、Ｂは、側面図、Ｃは、Ａにおけるｄ部分拡大図、Ｄは、Ｂにおけるｅ部分拡大図である。
【図７】図７Ａ，Ｂは、本開示の第二実施形態に係るインスツルメントホース支持装置の要部拡大側面断面図である。
【図８】図８Ａ，Ｂは、本開示の第三実施形態に係るインスツルメントホース支持装置の要部拡大側面断面図である。
【図９】図９Ａ，Ｂは、本開示の第四実施形態に係るインスツルメントホース支持装置の要部拡大側面断面図である。
【図１０】図１０Ａ，Ｂは、本開示の第五実施形態に係るインスツルメントホース支持装置の要部拡大側面断面図である。
【発明を実施するための形態】
【００１６】
本開示に係るインスツルメントホース支持装置は、インスツルメントよりも高い位置でインスツルメントホースを支持するロッド部と、このロッド部の先端部に支持された滑車支持部と、この滑車支持部に支持されてインスツルメントホースが引っ掛けられる滑車と、が備えられ、先端部と交差し、かつ、ロッド部と対峙する仮想線を可動軸として、滑車支持部が、自在に回転し、かつ、自在に揺動する。この構成により、インスツルメントホースが引っ張られた際、引っ張られる方向に追随して、滑車支持部が、仮想線を軸として自在に回転し、かつ、揺動する。そのため、インスツルメントホースを、様々な方向に、かつ、スムーズに引っ張ることができるインスツルメントホース支持装置が実現する。具体的には、歯科医師等は、被施術者の上顎や下顎の歯を診療する際、手首をひねってインスツルメントの向きを変える。その際、本開示に係るインスツルメントホース支持装置であれば、歯科医師等の手首にストレスがかかることがなく、スムーズな操作が実現する。
【００１７】
本開示に係るインスツルメントホース支持装置は、可動軸上に形成された軸突起部と、可動軸上に形成されると共に軸突起部が挿入された溝部と、を有し、軸突起部または溝部にテーパーが形成されている。すなわち、テーパーによって、軸突起部と溝部との間に、隙間が形成されている。そのため、インスツルメントホースが引っ張られた際、引っ張られる方向に追随して、滑車支持部が自在に揺動する。そのため、インスツルメントホースを、様々な方向に、かつ、スムーズに引っ張ることができるインスツルメントホース支持装置が実現する。
【００１８】
本開示に係るインスツルメントホース支持装置は、基部側を軸として倒れ、または、起きることができるロッド部が、起きた状態で、先端部よりも低い位置でロッド部と滑車支持部とが接触する。この構成により、ロッド部が起きた状態において、滑車支持部が、ロッド部に接触して停止し、滑車支持部は回転せず、また、揺動しない。そのため、ロッド部が起きた状態において、滑車支持部の位置が安定する。特に、複数のロッド部が並べられている場合であっても、各ロッド部の滑車支持部が、すべて同じ方向に向けられ、互いに接触せず、また、インスツルメントホース同士も接触しない。
【００１９】
本開示に係るインスツルメントホース支持装置は、ロッド部または滑車支持部の片方と接触する接触突起部が、ロッド部または滑車支持部のもう片方に形成されている。すなわち、接触突起部が、ロッド部に形成されている場合、ロッド部が起きた状態において、滑車支持部が、ロッド部の接触突起部に接触して停止する。一方で、接触突起部が、滑車支持部に形成されている場合、ロッド部が起きた状態において、滑車支持部は、接触突起部がロッド部に接触して停止する。そのため、ロッド部が起きた状態において、滑車支持部の位置が安定する。
【００２０】
本開示に係るインスツルメントホース支持装置は、滑車支持部が、第一部材と第二部材とから構成され、第一部材が、先端部に支持された第一支持部と、この第一支持部から滑車に向けて伸びた第一アーム部と、この第一アーム部に形成されて滑車の軸に通される第一支持軸部と、から構成され、第二部材が、第一部材に対してロッド部と反対側から第一支持部に嵌合する第二支持部と、この第二支持部から滑車に向けて伸びた第二アーム部と、この第二アーム部に形成されて滑車の軸に通されると共に第一支持軸部と嵌合する第二支持軸部と、から構成されている。すなわち、滑車支持部は、第一部材と第二部材とに分解されるため、インスツルメントホース支持装置の清掃が、容易である。また、滑車支持部を構成する部材は、二点であるため、分解や組み立てが容易である。その際、工具は不要である。
【００２１】
本開示に係るインスツルメントホース支持装置は、軸突起部または溝部の片方が、第一支持部に形成され、軸突起部または溝部のもう片方が、先端部に形成されている。すなわち、インスツルメントホース支持装置は、軸突起部が第一支持部に形成され、溝部が先端部に形成された構成、または、溝部が第一支持部に形成され、軸突起部が先端部に形成された構成によって実現される。いずれも構成が簡便である。
【００２２】
本開示に係る歯科診療装置は、上記したインスツルメントホース支持装置を有している。そのため、歯科診療装置は、インスツルメントホース支持装置と同じ効果を発揮することができる。
【００２３】
以下は、本開示の第一実施形態に係るインスツルメントホース支持装置、および、歯科診療装置の説明である。図１は、インスツルメントホース支持装置１００を有する歯科診療装置１が示されている。
【００２４】
図１に示されているとおり、歯科診療装置１は、患者である被施術者が横たわる診療シート２と、被施術者が口内に含んだ水を吐き出すためのスピットン３と、被施術者の口元を照らすデンタルライト４と、種々のインスツルメント５が保持されたインスツルメント保持装置７とを有している。スピットン３、デンタルライト４およびインスツルメント保持装置７は、基台１０に支持されている。この基台１０は、診療シート２の隣に設置されている。
【００２５】
スピットン３は、基台１０の上に、パイプ１１を介して設置されている。スピットン３は、ボウルである。デンタルライト４は、基台１０に取り付けられた第一可動アーム１２の先端に接続されている。インスツルメント保持装置７は、基台１０に取り付けられた第二可動アーム１３の先端に接続されている。第一可動アーム１２および第二可動アーム１３は、複数の関節を有している。そのため、デンタルライト４は、第一可動アーム１２を介して、自在に移動することができる。また、インスツルメント保持装置７は、第二可動アーム１３を介して、自在に移動することができる。
【００２６】
インスツルメント保持装置７に保持されたインスツルメント５は、例えば、タービン、マイクロモーター、エアモーター、スケーラー、シリンジなどである。このインスツルメント５は、インスツルメントホース６が接続されている。
【００２７】
インスツルメント保持装置７は、本体部８と、インスツルメント５が収容されたホルダー部９と、インスツルメントホース支持装置１００とを有している。ホルダー部９は、本体部８の前面に取り付けられ、一方、インスツルメントホース支持装置１００は、本体部８の後部の上面に取り付けられている。
【００２８】
インスツルメントホース支持装置１００は、ホルダー部９に収容された状態のインスツルメント５よりも高い位置でインスツルメントホース６を支持するロッド部２０と、このロッド部２０の先端部２１に支持された滑車支持部３０と、この滑車支持部３０に支持されてインスツルメントホース６が引っ掛けられる滑車２７と、ロッド部２０の基部２２側を軸として、ロッド部２０を倒し、または、起こすことができる可動部材２６とを有している。なお、本体部８を基準として、ロッド部２０が倒れる方向を前方とし、ロッド部２０が起き上がって元の位置に戻る方向を後方とする（図２および図４Ａ参照）。
【００２９】
ここで、インスツルメントホース支持装置１００を図面に基づいて説明する。図２は、インスツルメントホース支持装置１００が分解されて示され、図３は、インスツルメントホース支持装置１００が組み立てられる途中の状態が示されている。
【００３０】
図２および図３に示されているとおり、ロッド部２０は、細長い棒状である。ロッド部２０の基部２２側は、直線状に形成され、可動部材２６に接続されている。ロッド部２０の先端部２１側は、前方に向けて湾曲している。先端部２１は、上下に貫通し、溝部２３が形成されている（図４Ｄ，Ｅ参照）。この溝部２３は、円筒状であり、かつ、テーパー２４が形成されている。すなわち、溝部２３の直径は、下方から上方に向かうにしたがって、小さくなっている。先端部２１の近傍であって、先端部２１よりも低い位置に、接触突起部２５が形成されている。接触突起部２５は、ロッド部２０の外面から前方に向けて突出している。
【００３１】
滑車支持部３０は、第一部材３１と第二部材４０とから構成されている。第一部材３１は、ロッド部２０の先端部２１に支持される第一支持部３２と、この第一支持部３２から滑車２７に向けて伸びた第一アーム部３８と、この第一アーム部３８に形成されて滑車２７の軸に通される第一支持軸部３９とから構成されている。第二部材４０は、第一部材３１に対してロッド部２０と反対側である前方側から第一支持部３２に嵌合する第二支持部４１と、この第二支持部４１から滑車２７に向けて伸びた第二アーム部４６と、この第二アーム部４６に形成されて滑車２７の軸に通されると共に第一支持軸部３９と嵌合する第二支持軸部４７とから構成されている。
【００３２】
第一部材３１の第一アーム部３８は、滑車２７の直径とほぼ同じ大きさの円板状であり、円形の中心に第一支持軸部３９が形成されている。第一支持軸部３９は、円柱の棒状であり、第一アーム部３８から側方に向けて突出している。第一アーム部３８は、上端の一部が突出し、そこに第一支持部３２が形成されている。第一支持部３２は、第一アーム部３８の上端から側方に向けて突出し、第一支持軸部３９と対峙している。第一支持部３２は、平板状の第一上面部３３と、この第一上面部３３の両側端に連接された一対の第一側面部３４と、第一上面部３３の前方端に連接され、かつ、第一側面部３４の前方端に連接された第一前面部３５とから構成されている。一対の第一側面部３４の片方は、第一アーム部３８と同一の面上において第一アーム部３８に連接されている。第一上面部３３、第一側面部３４および第一前面部３５によって囲まれて、支持空間３６が形成されている。支持空間３６は、下面側および後面側が開放されている。支持空間３６において、第一上面部３３の中央に、軸突起部３７が形成されている。軸突起部３７は、円柱の棒状であり、第一上面部３３から下方に向けて突出している。
【００３３】
第二部材４０の第二アーム部４６は、第一アーム部３８と同様に、滑車２７の直径とほぼ同じ大きさの円板状であり、円形の中心に第二支持軸部４７が形成されている。第二支持軸部４７は、円柱の棒状であり、第二アーム部４６から側方に向けて突出している。第二支持軸部４７の直径は、第一部材３１の第一支持軸部３９よりも小さい。第二アーム部４６は、上端の一部が突出し、そこに第二支持部４１が形成されている。第二支持部４１は、第二アーム部４６の上端から側方に向けて突出し、第二支持軸部４７と対峙している。第二支持部４１は、側方に連接された平板状の第二上面部４２と、この第二上面部４２と同様に側方に向けて連接され、かつ、第二上面部４２と対峙した平板状の第二下面部４３と、第二上面部４２および第二下面部４３の前方端に連接された第二前面部４４とから構成されている。第二上面部４２の後端は、係止部４５が形成されている。
【００３４】
第一部材３１の軸突起部３７が、ロッド部２０の溝部２３に、上方から挿入される。ここで、溝部２３はテーパー２４が形成されているため、軸突起部３７が溝部２３に挿入された状態において、軸突起部３７と溝部２３との間に隙間が空く（図４Ｄ，Ｅ参照）。第一部材３１の第一支持軸部３９は、滑車２７の中心に形成された孔に挿入される。
【００３５】
第二部材４０の第二支持軸部４７は、滑車２７の孔に挿入され、かつ、第一部材３１の第一支持軸部３９に挿入される。第二支持軸部４７は、第一支持軸部３９に嵌合する。第二部材４０の第二支持部４１は、第一部材３１の第一支持部３２の前方に配置される。第二部材４０が、第二支持軸部４７を軸に回転すると（図３矢印参照）、第二支持部４１が、前方側から第一支持部３２に嵌合する。すなわち、第二上面部４２が、第一上面部３３の上に覆いかぶさって係止部４５が第一上面部３３の後端に引っ掛かる。同時に、第二前面部４４が、第一前面部３５に覆いかぶさり、第二下面部４３が、第一部材３１の支持空間３６の下面側に配置される。第二下面部４３の後端に、接触端部４８が形成されている（図４Ｄ，Ｅ参照）。なお、接触端部４８は、第一側面部３４の下部の後端に形成されている場合もある。
【００３６】
上記のとおり、インスツルメントホース支持装置１００が構成されている。以下は、インスツルメントホース支持装置１００の作用の説明である。図４Ａ，Ｂ，Ｃ，Ｄ，Ｅは、インスツルメントホース６が引っ張られる前の状態、および、インスツルメントホース６が引っ張られた後の状態におけるインスツルメントホース支持装置１００が示されている。図５Ａ，Ｂは、インスツルメントホース６が、ロッド部２０が倒れる方向に対して斜め方向に引っ張られた状態におけるインスツルメントホース支持装置１００が示されている。図６Ａ，Ｂ，Ｃ，Ｄは、インスツルメントホース６が引っ張られる前の状態、および、インスツルメントホース６が、図５Ａ，Ｂと同様に、斜め方向に引っ張られた後の状態におけるインスツルメントホース支持装置１００が示されている。
【００３７】
図４Ａ，Ｂ，Ｃ，Ｄ，Ｅに示されているとおり、滑車支持部３０は、ロッド部２０に対して、仮想線Ｌを可動軸Ｘとして、自在に揺動する。仮想線Ｌは、ロッド部２０の先端部２１と交差し、且つ、ロッド部２０と対峙している。可動軸Ｘは、仮想線Ｌ上に存在し、可動軸Ｘ上に、ロッド部２０の溝部２３と第一部材３１の軸突起部３７とが配置されている。換言すれば、仮想線Ｌは、溝部２３の中心軸である。
【００３８】
インスツルメント５が、インスツルメントホース６と共に、前方に引っ張られると、インスツルメントホース６の動きに追随して、ロッド部２０が前方に向けて倒れる。軸突起部３７と溝部２３との間の隙間が、滑車支持部３０の可動範囲となるため、滑車支持部３０は、可動軸Ｘを軸として前後に揺動する。
【００３９】
インスツルメント５が、外力から解放され、ロッド部２０が後方に起き上がると、ロッド部２０の動きに追随して、インスツルメントホース６が後方に向けて引っ張られる。ロッド部２０が元の位置に戻ると、滑車支持部３０の接触端部４８がロッド部２０の接触突起部２５に接触する。すなわち、滑車支持部３０が、接触突起部２５の上に置かれる。
【００４０】
図５Ａ，Ｂおよび図６Ａ，Ｂ，Ｃ，Ｄに示されているとおり、滑車支持部３０は、ロッド部２０に対して、可動軸Ｘを軸として自在に回転する。インスツルメント５が、インスツルメントホース６と共に、前方に、かつ、側方寄りに引っ張られると、ロッド部２０が、前方に向けて倒れ、同時に、滑車支持部３０が、可動軸Ｘを軸として回転する。滑車支持部３０の軸突起部３７が円柱状であり、一方、ロッド部２０の溝部２３が円筒状であるため（図４Ｄ，Ｅ参照）、滑車支持部３０が、ロッド部２０に対して自在に回転する。また、滑車支持部３０は、可動軸Ｘを軸として前後および側方に揺動する。
【００４１】
すなわち、図４Ａ，Ｂ，Ｃ、図５Ａ，Ｂ、図６Ａ，Ｂに示されているとおり、滑車支持部３０は、インスツルメントホース６の動きに追随し、ロッド部２０に対して、可動軸Ｘを軸として、前後および側方に自在に揺動し、かつ、自在に回転する。
【００４２】
上記のとおり、インスツルメントホース支持装置１００が稼働する。以下は、本開示の他の実施形態に係るインスツルメントホース支持装置２００，３００，４００，５００の説明である。図７Ａ，Ｂ、図８Ａ，Ｂ、図９Ａ，Ｂ、図１０Ａ，Ｂは、インスツルメントホース６が引っ張られる前の状態、および、インスツルメントホース６が引っ張られた後の状態におけるインスツルメントホース支持装置２００，３００，４００，５００の一部が拡大されて示されている。なお、以下では、主に、第一実施形態に係るインスツルメントホース支持装置１００と異なる構成が説明され、インスツルメントホース支持装置１００と同様の構成は、説明が省略されている。
【００４３】
図７Ａ，Ｂは、第二実施形態に係るインスツルメントホース支持装置２００の一部が示されている。図７Ａ，Ｂに示されているとおり、軸突起部２３７は、テーパー２２４が形成され、軸突起部２３７の直径は、上方から下方に向かうにしたがって、小さくなっている。ロッド部２２０の溝部２２３は、円筒状であり、テーパーが形成されていない。
【００４４】
図８Ａ，Ｂは、第三実施形態に係るインスツルメントホース支持装置３００の一部が示されている。図８Ａ，Ｂに示されているとおり、ロッド部３２０の先端部３２１は、可動軸Ｘ上において、上方に向けて突出した軸突起部３３７が形成されている。第一部材３３１の第一支持部３３２は、第一上面部３３３の後端および第一側面部３３４の後端に連接された第一後面部３５０を有している。第一上面部３３３、第一側面部３３４、第一前面部３３５および第一後面部３５０によって囲まれたことで、溝部３２３が形成されている。溝部３２３は、円筒状であり、かつ、テーパー３２４が形成されている。
【００４５】
図９Ａ，Ｂは、第四実施形態に係るインスツルメントホース支持装置４００が示されている。図９Ａ，Ｂに示されているとおり、ロッド部４２０の先端部４２１は、可動軸Ｘ上において、上方に向けて突出した軸突起部４３７が形成されている。軸突起部４３７は、テーパー４２４が形成され、軸突起部４３７の直径は、上方から下方に向かうにしたがって、小さくなっている。第一部材４３１の第一支持部４３２は、第一上面部４３３の後端および第一側面部４３４の後端に連接された第一後面４５０を有している。第一上面部４３３、第一側面部４３４、第一前面部４３５および第一後面部４５０によって囲まれたことで、溝部４２３が形成されている。溝部４２３は、円筒状であり、テーパーが形成されていない。
【００４６】
図１０Ａ，Ｂは、第五実施形態に係るインスツルメントホース支持装置５００が示されている。図１０Ａ，Ｂに示されているとおり、滑車支持部５３０の第二下面部５４３の後端は、接触突起部５２５が形成されている。接触突起部５２５は、ロッド部５２０に向けて突出している。ロッド部５２０が元の位置に戻ると、滑車支持部５３０の接触突起部５２５がロッド部５２０に接触する。なお、第五実施形態の構成が、上記した第二実施形態から第四実施形態に係るインスツルメントホース支持装置２００，３００，４００に形成された実施形態も存在する。
【００４７】
上記のとおり、インスツルメントホース支持装置１００，２００，３００，４００，５００が構成されている。以下は、インスツルメントホース支持装置１００の効果の説明である。なお、インスツルメントホース支持装置２００，３００，４００，５００の効果は、インスツルメントホース支持装置１００と同様であるため、以下では説明が省略されている。
【００４８】
インスツルメントホース支持装置１００では、ロッド部２０の先端部２１は、溝部２３が形成されている。この溝部２３は、円筒状であり、かつ、テーパー２４が形成されている（図４Ｄ，Ｅ参照）。一方、滑車支持部３０の第一部材３１は、軸突起部３７が形成されている。軸突起部３７は、溝部２３に、上方から挿入される。溝部２３はテーパー２４が形成されているため、軸突起部３７が溝部２３に挿入された状態において、軸突起部３７と溝部２３との間に隙間が空く（図４Ｄ，Ｅ参照）。この隙間が、滑車支持部３０の可動範囲となる。この構成により、滑車支持部３０は、インスツルメントホース６が引っ張られた際、インスツルメントホース６の動きに追随し、ロッド部２０に対して、可動軸Ｘを軸として、前後および側方に自在に揺動し、かつ、自在に回転する。そのため、インスツルメントホース６を、様々な方向に、かつ、スムーズに引っ張ることができるインスツルメントホース支持装置１００が実現する。
【００４９】
インスツルメントホース支持装置１００では、ロッド部２０の先端部２１の近傍は、接触突起部２５が形成されている。接触突起部２５は、ロッド部２０の外面から前方に向けて突出している。滑車支持部３０は、接触端部４８が形成されている。この構成により、ロッド部２０が起きた状態において、滑車支持部３０が、ロッド部２０の接触突起部２５に接触して停止し、滑車支持部３０は回転せず、また、揺動しない（図４Ｄ参照）。そのため、ロッド部２０が起きた状態において、滑車支持部３０の位置が安定する。特に、複数のロッド部２０が並べられている場合であっても、各ロッド部２０の滑車支持部３０同士が、接触せず、また、インスツルメントホース６同士も接触しない。
【００５０】
インスツルメントホース支持装置１００が組み立てられる際、ロッド部２０の先端部２１が、第二部材４０の第二下面部４３によって下方から覆われることで、滑車支持部３０の落下が防止される。一方で、滑車支持部３０は、第一部材３１と第二部材４０とに分解されるため、インスツルメントホース支持装置１００の清掃が、容易である。また、滑車支持部３０を構成する部材は、第一部材３１および第二部材４０の二点であるため、分解や組み立てが容易である。その際、工具は不要である。
【００５１】
インスツルメントホース支持装置１００は、軸突起部３７が第一部材３１の第一支持部３２に形成され、溝部２３がロッド部２０の先端部２１に形成されている。そのため、構成が簡便である。
【００５２】
以上、本開示の実施形態を詳述したが、本開示は上記実施形態に限定されるものではない。そして本開示は、特許請求の範囲に記載された事項を逸脱することがなければ、種々の設計変更を行うことが可能である。
【符号の説明】
【００５３】
１                歯科診療装置
２                診療シート
３                スピットン
４                デンタルライト
５                インスツルメント
６                インスツルメントホース
７                インスツルメント保持装置
８                本体部
９                ホルダー部
１０              基台
１１              パイプ
１２              第一可動アーム
１３              第二可動アーム
１００，２００，３００，４００，５００  インスツルメントホース支持装置
２０，２２０，３２０，４２０，５２０  ロッド部
２１，３２１，４２１  先端部
２２              基部
２３，２２３，３２３，４２３  溝部
２４，２２４，３２４，４２４  テーパー
２５，５２５      接触突起部
２６              可動部材
２７              滑車
３０，３３０，４３０，５３０  滑車支持部
３１，３３１，４３１  第一部材
３２，３３２，４３２  第一支持部
３３，３３３，４３３  第一上面部
３４，３３４，４３４，５３４  第一側面部
３５，３３５，４３５  第一前面部
３６，３３６      支持空間
３７，２３７，３３７，４３７  軸突起部
３８，３３８，４３８  第一アーム部
３９，３３９，４３９  第一支持軸部
４０              第二部材
４１              第二支持部
４２              第二上面部
４３，５４３      第二下面部
４４              第二前面部
４５              係止部
４６              第二アーム部
４７              第二支持軸部
４８              接触端部
３５０，４５０    第一後面部
Ｌ                仮想線
Ｘ                可動軸
【要約】
インスツルメントホースを、様々な方向に、スムーズに引っ張ることができるインスツルメントホース支持装置を提供する。
インスツルメントホース支持装置（１００）は、ホルダー部（９）に収容されたインスツルメント（５）よりも高い位置でインスツルメントホース（６）を支持するロッド部（２０）と、ロッド部（２０）の先端部（２１）に支持された滑車支持部（３０）と、滑車支持部（３０）に支持されてインスツルメントホース（６）が引っ掛けられる滑車（２７）とを有している。先端部（２１）は、テーパー（２４）が形成された溝部（２３）を有している。滑車支持部（３０）の第一部材（３１）は、軸突起部（３７）が形成され、軸突起部（３７）と溝部（２３）との間に隙間が空く。この隙間が、滑車支持部（３０）の可動範囲となり、滑車支持部（３０）は、インスツルメントホース（６）の動きに追随し、ロッド部（２０）に対して、可動軸（Ｘ）を軸として、前後および側方に自在に揺動し、かつ、自在に回転する。【図１】
0006570763.tif 000002
【図２】
0006570763.tif 000003
【図３】
0006570763.tif 000004
【図４】
0006570763.tif 000005
【図５】
0006570763.tif 000006
【図６】
0006570763.tif 000007
【図７】
0006570763.tif 000008
【図８】
0006570763.tif 000009
【図９】
0006570763.tif 000010
【図１０】
0006570763.tif 000011